(57)【要約】      （修正有）【課題】交通事故現場等の状況に対応して、所要の通行規制の手信号標識を形成して安全な通行規制をはかることができる擬人標識具を提供する。【解決手段】擬人標識具１の基台２に通行規制の擬人の人形膨縮体５を膨縮自在に空気を注入、停止可能に設けるとともに、膨張させて起立した人形膨縮体５の腕部１２の左側および／または右側を伸長・折曲可能に形成して所要の通行規制の手信号標識を形成する。【選択図】図２
0003163897.tif 000002
【実用新案登録請求の範囲】
【請求項１】
通行規制の擬人標識具であって、上記擬人標識具の基台に通行規制の擬人の人形膨縮体を膨縮自在に空気を注入、停止可能に設けるとともに、
膨張させて起立した人形膨縮体の腕部の左側および／または右側を伸長・折曲可能に形成して所要の通行規制の手信号標識を形成するようにしたことを特徴とする通行規制の擬人標識具。
【請求項２】
等身大の警察官や交通規制官の擬人の人形膨縮体の腰部の両側にベルト、自在ファスナまたはフックの係脱具を取り付けて、人形膨縮体の腕部を上記係脱具に着脱可能に係止して膨張させて起立した人形膨縮体の腕部を所要の通行規制の手信号標識を形成するようにした請求項１に記載の通行規制の擬人標識具。
【請求項３】
等身大の警察官や交通規制官の擬人の人形膨縮体の腰部および肩部の両側にベルト、自在ファスナまたはフックの係脱具を取り付けて、人形膨縮体の腕部を上記腰部および肩部の両側のベルト、自在ファスナまたはフックの係脱具に着脱可能に係止して膨張させて起立した人形膨縮体の腕部を所要の通行規制の手信号標識を形成するようにした請求項１または２に記載の通行規制の擬人標識具。
【請求項４】
持ち運び可能な通行規制の擬人標識具として、車載の電源供給可能なプラグに電源コードを接続してブロアを駆動自在として基台部に内装し、可撓性袋で形成した人形膨縮体を５〜１０秒で起立可能に膨張させる所定容量のブロアとした請求項１ないし３のいずれかに記載の通行規制の擬人標識具。
【請求項５】
基台部に収縮した人形膨縮体を収容カバーを介して内装し、基台部または収容カバーに把手を取り付けて搬送自在に形成した請求項１ないし４のいずれかに記載の通行規制の擬人標識具。
【請求項６】
人形膨縮体の表面に光反射シートを設けるとともに、基台部に内装したＬＥＤランプの光が腕部および／または胴部から外部へ透光可能に腕部および／または胴部に光透過部を設けた請求項１ないし５のいずれかに記載の通行規制の擬人標識具。
【考案の詳細な説明】
【技術分野】
【０００１】
本考案は、道路通行における通行規制の擬人標識具に関するものである。
【背景技術】
【０００２】
自動車やトラック等の車輛が広く利用され、交通事故や車輛の故障等が多発している。そして、たとえば、交通事故が発生した場合、警察所が連絡を受けると、２人の警察官がパトルールカーにより現場に向かい、人命を保護して、事故の状況を確認すべく事故原因等の現場検証が行なわれる。
【０００３】
通常、現場検証では、１人の警察官が事故当事者の対応や車輛の破損状況等の確認を行い、もう一人は後方より接近してくる後方車の誘導を行っているが、１人の警察官が事故状況を判断して対応することは極めて困難をことが多い。そのため、警察官２人で対応した場合、適切な通行規制の指示が出せなくなって後方車による追突事故を併発したり、警察官といえども後方車による追突事故が頻発するなどの二重事故が発生している。
【０００４】
また、道路工事などでは、警備員等が通行人や車輛の通行規制を行って、交通事故などの回避をしたり、関係者や通行人の安全な通行をはかっている。
【０００５】
このようなことから、特開２０００−３４２８５９号公報、特開２００８−２９９３００号公報には、空気を注入することにより警察官の模擬形状に膨らませて通行規制に役立たせることを提案されている。
【考案の開示】
【考案が解決しようとする課題】
【０００６】
しかし、これらの人形体の標識具は、空気を注入して警察官状に膨らませて起立できるものの、腕は左側や右側に向けたままや、上方に上げたままで、これらの方向を変えることができなく、道路現場の通行規制をするのに課題があった。
【０００７】
また、これらの人形体の標識具は、できるだけ迅速に膨らませて起立できることが望ましく、さらに使用後もできるだけ迅速にしぼめることが望ましい。また、近年の高齢運転者による高速道路等の逆走が多発して、その対策に苦慮している。
【課題を解決するための手段】
【０００８】
本考案は、上記のような点に鑑みたもので、上記の課題を解決するために、請求項１のように、通行規制の擬人標識具であって、上記擬人標識具の基台に通行規制の擬人の人形膨縮体を膨縮自在に空気を注入、停止可能に設けるとともに、膨張させて起立した人形膨縮体の腕部の左側および／または右側を伸長・折曲可能に形成して所要の通行規制の手信号標識を形成するようにしたことを特徴とする通行規制の擬人標識具を提供するにある。
【０００９】
また、請求項２のように、等身大の警察官や交通規制官の擬人の人形膨縮体の腰部の両側にベルト、自在ファスナまたはフックの係脱具を取り付けて、人形膨縮体の腕部を上記係脱具に着脱可能に係止して膨張させて起立した人形膨縮体の腕部を所要の通行規制の手信号標識を形成するようにしたことを特徴とする通行規制の擬人標識具を提供するにある。
【００１０】
さらに、請求項３のように、等身大の警察官や交通規制官の擬人の人形膨縮体の腰部および肩部の両側にベルト、自在ファスナまたはフックの係脱具を取り付けて、人形膨縮体の腕部を上記腰部および肩部の両側のベルト、自在ファスナまたはフックの係脱具に着脱可能に係止して膨張させて起立した人形膨縮体の腕部を所要の通行規制の手信号標識を形成するようにしたことを特徴とする通行規制の擬人標識具を提供するにある。
【００１１】
またさらに、請求項４のように、持ち運び可能な通行規制の擬人標識具として、車載の電源供給可能なプラグに電源コードを接続してブロアを駆動自在として基台部に内装し、可撓性袋で形成した人形膨縮体を５〜１０秒で起立可能に膨張させる所定容量のブロアとしたことを特徴とする通行規制の擬人標識具を提供するにある。
【００１２】
さらにまた、請求項５のように、基台部に収縮した人形膨縮体を収容カバーを介して内装し、基台部または収容カバーに把手を取り付けて搬送自在に形成したことを特徴とする通行規制の擬人標識具を提供するにある。
【００１３】
さらにまた、請求項６のように、人形膨縮体の表面に光反射シートを設けるとともに、基台部に内装したＬＥＤランプの光が腕部および／または胴部から外部へ透光可能に腕部および／または胴部に光透過部を設けたことを特徴とする通行規制の擬人標識具を提供するにある。
【考案の効果】
【００１４】
本考案の通行規制の擬人標識具は、請求項１のように、通行規制の擬人標識具であって、上記擬人標識具の基台に通行規制の擬人の人形膨縮体を膨縮自在に空気を注入、停止可能に設けるとともに、膨張させて起立した人形膨縮体の腕部の左側および／または右側を伸長・折曲可能に形成して所要の通行規制の手信号標識を形成するようにしたことによって、たとえば、擬人標識具をパトロールカー等に搭載して事故現場に搬送したり、高速道路等の逆走が発生する危険な通行路の側部に設置し、空気を注入して人形膨縮体を膨張させて起立するようにできる。そして、設置した道路状況に応じて膨張させて起立した人形膨縮体の腕部の左側および／または右側を所要通り伸長または折曲して、所要の通行規制の手信号標識を形成して安全な通行規制をはかることができる。
【００１５】
また、請求項２のように、等身大の警察官や交通規制官の擬人の人形膨縮体の腰部の両側にベルト、自在ファスナまたはフックの係脱具を取り付けて、人形膨縮体の腕部を上記係脱具に着脱可能に係止して膨張させて起立した人形膨縮体の腕部を所要の通行規制の手信号標識を形成するようにしたことによって、等身大の警察官や交通規制官の擬人の人形膨縮体の腰部の両側のベルト、自在ファスナまたはフックの係脱具に人形膨縮体の腕部を係止して、腕部の左側または右側を折曲して、所要の通行規制の手信号標識を形成して安全な通行規制をはかることができる。
【００１６】
さらに、請求項３のように、等身大の警察官や交通規制官の擬人の人形膨縮体の腰部および肩部の両側にベルト、自在ファスナまたはフックの係脱具を取り付けて、人形膨縮体の腕部を上記腰部および肩部の両側のベルト、自在ファスナまたはフックの係脱具に着脱可能に係止して膨張させて起立した人形膨縮体の腕部を所要の通行規制の手信号標識を形成するようにしたことによって、等身大の警察官や交通規制官の擬人の人形膨縮体の腰部および肩部の両側のベルト、自在ファスナまたはフックの係脱具に人形膨縮体の腕部を係止して、腕部の左側または右側を折曲したり、上方にあげて、所要の通行規制の手信号標識を形成して安全な通行規制をはかることができる。
【００１７】
またさらに、請求項４のように、持ち運び可能な通行規制の擬人標識具として、車載の電源供給可能なプラグに電源コードを接続してブロアを駆動自在として基台部に内装し、可撓性袋で形成した人形膨縮体を５〜１０秒で起立可能に膨張させる所定容量のブロアとしたことによって、上記のように擬人標識具をパトロールカー等に搭載して事故現場に搬送し、道路に設置して車載の電源供給可能なプラグに電源ケーブルを接続して電源スイッチを入れると、ブロアが駆動して人形膨縮体を５〜１０秒で迅速に膨張させて起立させることができて、上記のようにして通行規制をはかることができる。
【００１８】
さらにまた、請求項５のように、基台部に収縮して人形膨縮体を収容カバーを介して内装し、基台部または収容カバーに把手を取り付けて搬送自在に形成したことによって、基台部に収容カバーを介して内装した人形膨縮体を把手を持って搬送して、上記のようにして通行規制をはかることができる。
【００１９】
さらにまた、請求項６のように、人形膨縮体の表面に光反射シートを設けるとともに、基台部に内装したＬＥＤランプの光が腕部および／または胴部から外部へ透光可能に腕部および／または胴部に光透過部を設けたことによって、夜間や暗所であっても、光反射シートやＬＥＤランプの光を介して人形膨縮体の腕部および／または胴部を視認するようにできて、上記のようにして通行規制をはかることができる。
【図面の簡単な説明】
【００２０】
【図１】本考案の一実施例の擬人標識具の人形膨縮体を萎んで収容カバーを介して収容した状態の正面図、
【図２】同上の擬人標識具の人形膨縮体に空気を注入して膨張させて起立した状態の正面図、
【図３】同上の擬人標識具の人形膨縮体の片腕部を下げた状態の正面図、
【図４】同上の擬人標識具の人形膨縮体の片腕部を上げた状態の正面図、
【図５】同上の擬人標識具の人形膨縮体の脇部をやや拡大した側面図。
【考案を実施するための形態】
【００２１】
本考案の通行規制の擬人標識具は、通行規制の擬人標識具であって、上記擬人標識具の基台に通行規制の擬人の人形膨縮体を膨縮自在に空気を注入、停止可能に設けるとともに、膨張させて起立した人形膨縮体の腕部の左側および／または右側を伸長・折曲可能に形成して所要の通行規制の手信号標識を形成するようにしたことを特徴としている。
【００２２】
通行規制の擬人標識具１は、図１のように持ち運び可能に所定の重量として安定して設置できるようにした基台２に  所定容量のブロア３と、ＬＥＤランプ４を搭載して、その外周部に空気を注入して警察官や警備員等の等身大の擬人様に膨らませて起立可能に袋状の人形膨縮体５を装着した基本構成とし、収容カバー６を介して収縮状態とした人形膨縮体５を収容して簡単に持ち運んで車輛に搭載して搬送できるようにしている。
【００２３】
基台２は、所定の重量の楕円板状や多角板形状にもできるが、基本的に円板状のボードとして、その底面の周囲に基台脚７を軸対称状に配設し、底面の一部に所定径の空気吸い込み口８を開口して所定のメッシュのフィルター９を介してブロア３に吸気して空気を注入できるようにしている。
【００２４】
ブロア３は、掃除器に利用されているような小型のもので、上記擬人膨縮体５を５〜３０ｍ3 ／分の送風量、好ましくは１０〜２０ｍ3 ／分の送風量として人形膨縮体を５〜１０秒といった短時間で起立可能に膨張させるようにし、その電源コード１０を自動車等の車輛のシガレット用等の１２Ｖの電源プラグに接続して電源を供給できるようにすることが好ましい。１１は、電源スイッチである。
【００２５】
そして、擬人膨縮体５は、半透明や不透明のビニールシートやナイロンシート等の防水性のやや通気性を有する薄い丈夫な可撓性のシートを適宜の形状に裁断して縫製し、袋状に形成してその下周部を基台２の周部に気密的に装着し、上記ブロア３を介して空気を注入して膨らませて起立し、必要により風でなびくように揺動可能に形成している。
【００２６】
特に、人形膨縮体５の腕部１２は、図３のように右側または左側の片方を下げて、他方を側方に水平に上げた状態や、図４のように垂直状に上げた状態にできるようにしている。そのために、たとえば、図３、図５のように腰部１３や肩部１４に伸縮するベルト、係止自在ファスナ、フック等の係脱具１５を設け、図３のように腰部１３を係脱具１５に挿脱可能に挿入したり、係脱可能に自在ファスナやフック等の被係脱具を設けて係止するようにして、腕部１２の左側または右側を折曲したり、上方にあげたりして所要の通行規制の手信号標識を形成して通行規制をはかれるようにしている。
【００２７】
また、擬人の人形膨縮体５には、図２〜図５のように警察官や交通規制官等のように表面に光反射シート１６を貼り付けたり、縫着して、夜間や暗い場所であっても、後続車から人形膨縮体５を明確に視認することができるようにしている。
【００２８】
また、上記のようにした人形膨縮体５の胴部１３の両側には、図５のように透明な可撓性シートの透光性の光透過部１７を貼り付けたり、縫着して、基台１部に内装したＬＥＤランプ３の点灯によって、光で腕部１２を照射して、夜間や暗所であっても、光反射シートやＬＥＤランプ３の光を介して人形膨縮体５の腕部１２、胴部１３を明瞭に視認することができるようにしている。
【００２９】
上記では、ブロア３を介して人形膨縮体５に空気を注入するようにしたが、足踏み式等のエアポンプを介して空気を注入するようすることも可能で、この場合には電源の供給が必要ないので、遠方部等でも設置して使用することが可能となる。
【００３０】
また、近年の高齢運転者による高速道路等の逆走対策について、上記した擬人標識具１を高速道路のサービスエリア等の入側の逆走危険領域の側部に電源入切自在に接続して設置し、逆走検出センサー等の信号を介して電源入力するようにして、逆走する車輛の前方に突然に人形膨縮体５を両手を水平に上げて起立させるようにして逆走を防止させるようにできる。擬人標識具１にＥＬ表示等で逆走の文字を表示するようにもできる。なお、タイマーで電源切断するようにして繰り返し利用するようにできる。
【００３１】
しかして、たとえば、図１のように擬人の人形膨縮体５を収縮して内装した擬人標識具１をパトロールカーに搭載して事故現場に急行し、所定の通行規制部に持ち運んで擬人標識具１を設置し、収容カバー６を開き、電源コード１０をパトロールカーの電源プラグに接続して電源スイッチ１１を入れると、ブロア３が起動して空気を注入して人形膨縮体５を膨張させて図２のように起立できる。
【００３２】
そして、腰部１２の片方の伸縮するベルトの係脱具１５を拡げて、図３のように腕部１２を先端の手首部を挿入すると、腕部１２の左側または右側を折曲できて、片側の腕部１２を側方に水平に伸長状態として水平に上げた腕の方向への車輛の進行を許可し、対面する方向への車輛の進行を禁止するようにできて、所要の通行規制の手信号標識を形成して通行規制をはかれる。反対方向についても同様に行える。
【００３３】
また、肩部１４についても、フックの係脱具（図示せず）を介して腕部１２を肩部１４に直角状に係止すると、図４のように腕部１２の左側または右側を折曲できて、腕部１２を垂直に上げた状態として進行する車輛への走行の注意を促すようにできて、所要の通行規制の手信号標識を形成して通行規制をはかれる。
【００３４】
またさらに、夜間にあっては、上記のように道路に設置して基台２のＬＥＤスイッチ（図示せず）を入れることによって、基台２部に内装したＬＥＤランプ３が点灯して、ＬＥＤランプ３の光が人形膨縮体５の内部から照明し、特に胴部１４の側部の光透過部１７から腕部１２に投射して、夜間であっても、人形膨縮体５の腕部１２および胴部１４を明瞭に視認することができて、上記のようにして通行規制をはかることができる。
【００３５】
このようにして人形膨縮体５の腕部１２を道路状況に応じて、片方だけ水平に伸長したり、上方に上げたりでき、通行規制の必要がなくなると、電源スイッチ１１を切ると、ブロア３からの空気供給が停止して起立していた擬人膨縮体５は収縮し、折り畳んで収容カバー６を介して基台２部に収容して、把手７を持って搬送し、パトロールカーに収納することができる。
【００３６】
また、近年の高齢運転者による高速道路等の逆走対策について、上記した擬人標識具１を高速道路のサービスエリア等の入側の逆走危険領域の側部に電源入切自在に接続して設置し、逆走検出センサー等の信号を介して、逆走する車輛の前方に突然に人形膨縮体５を両側の腕部１２を水平に上げて起立させるようにして逆走を防止させるようにできる。
【００３７】
したがって、本考案にあっては、通行規制の擬人標識具を事故現場等の状況に対応できて、膨張させて起立した人形膨縮体の腕部の左側および／または右側を伸長または折曲して所要の通行規制の手信号標識を形成して安全な通行規制をはかることができる。
【産業上の利用可能性】
【００３８】
本考案は、道路通行における、特に交通事故や車輛の故障等の現場や、近年の高齢運転者による高速道路等の逆走対策に、所要の通行規制の手信号標識を形成して、安全な通行規制に利用することができる。
【符号の説明】
【００３９】
１…擬人標識具      ２…基台係止孔      ３…ブロア    ４…ＬＥＤランプ
５…人形膨縮体      ６…収容カバー    １２…腕部    １４…肩部
１５…係止具
【先行技術文献】
【特許文献】
【００４０】
【特許文献１】特開２０００−３４２８５９号公報
【特許文献２】特開２００８−２９９３００号公報
【図１】
0003163897.tif 000003
【図２】
0003163897.tif 000004
【図３】
0003163897.tif 000005
【図４】
0003163897.tif 000006
【図５】
0003163897.tif 000007